(57)【要約】【課題】大当り終了時に保留されていた識別要素の変動が消化されるのを格別な興趣をもって楽しむことができる。【解決手段】このパチンコ機は、大当り終了直後であると判定されたときに保留されていた特別図柄変動を処理するにあたり、その特別図柄変動の処理中に何回リーチが発生したかを表すリーチ回数カウンタＲｃｎの値に基づき大当り判定テーブルを選定し（Ｓ７０４）、その大当り判定テーブルを用いて大当りか否かを判定する（Ｓ７１０）。ここで、Ｓ７０４ではリーチ回数カウンタＲｃｎの値が大きいほど大当り確率の高い大当り判定テーブルが選定される。このため、大当り終了直後に保留されていた特別図柄変動につき、リーチが行われるだけで大当りに至らなかったとしてもその次は大当りになるかもしれないという期待感が膨らむ。【選択図】  図１６
2005006849.tif 000002
【特許請求の範囲】
【請求項１】
所定の始動条件が成立すると識別要素の変動を開始し変動終了後の前記識別要素の態様によって大当りか否かを遊技者に明示し大当りのときには遊技者にとって有利な遊技状態へ移行する遊技機であって、
前記所定の始動条件が成立したときであって前記識別要素の変動を開始できないときに該変動を保留する変動保留手段と、
大当りが終了した時点であるという所定の保留処理条件が成立したか否かを判定する保留処理条件判定手段と、
前記保留処理条件判定手段によって前記所定の保留処理条件が成立したと判定されたときに前記変動保留手段によって保留されていた識別要素の変動につき、前記所定の保留処理条件が成立していないときと比べて大当り確率が変化するよう制御する大当り確率制御手段と、
を備えた遊技機。
【発明の詳細な説明】
【０００１】
【発明の属する技術分野】
本発明は、所定の始動条件が成立すると識別要素の変動を開始し変動終了後の識別要素の態様によって大当りか否かを遊技者に明示し大当りのときには遊技者にとって有利な遊技状態へ移行する遊技機に関する。
【０００２】
【従来の技術】
従来、遊技機としては、所定の始動条件が成立すると識別要素の変動を開始し変動終了後の前記識別要素の態様によって大当りか否かを遊技者に明示し大当りのときには遊技者にとって有利な遊技状態へ移行するものが知られている（例えば特許文献１参照）。この種の遊技機では、例えば大当り中に所定の始動条件が成立すると保留ランプを点灯してその識別要素の変動が保留され、その後変動可能な状態になったときに保留ランプを消灯し保留されていた識別要素の変動が実行される。
【０００３】
【特許文献１】
特開２００３−７１０３０号公報
【０００４】
【発明が解決しようとする課題】
しかしながら、これまでの遊技機では、大当り後に保留ランプを消灯し保留されていた識別要素の変動を行う場合であっても、大当り後でないときに保留ランプを消灯し保留されていた識別要素の変動を行う場合であっても、大当りになる期待感に差がなかった。つまり、保留されていた識別要素の変動を消化するときの状況にかかわらず、大当りになる期待感には差がなかった。
【０００５】
本発明は上記課題に鑑みなされたものであり、大当り終了時に保留されていた識別要素の変動が消化されるのを格別な興趣をもって楽しむことができる遊技機を提供することを目的とする。
【０００６】
【課題を解決するための手段及び発明の効果】
上記の目的を達成するための有効な手段を以下に示す。なお、必要に応じてその作用等についても説明する。
【０００７】
手段１．所定の始動条件が成立すると識別要素の変動を開始し変動終了後の前記識別要素の態様によって大当りか否かを遊技者に明示し大当りのときには遊技者にとって有利な遊技状態へ移行する遊技機であって、
前記所定の始動条件が成立したときであって前記識別要素の変動を開始できないときに該変動を保留する変動保留手段と、
大当りが終了した時点であるという所定の保留処理条件が成立したか否かを判定する保留処理条件判定手段と、
前記保留処理条件判定手段によって前記所定の保留処理条件が成立したと判定されたときに前記変動保留手段によって保留されていた識別要素の変動につき、前記所定の保留処理条件が成立していないときと比べて大当り確率が変化するよう制御する大当り確率制御手段と、
を備えた遊技機。
【０００８】
この遊技機では、所定の始動条件が成立したときであって識別要素の変動を開始できないときにその識別要素の変動を保留し、大当りが終了した時点であるという所定の保留処理条件が成立したときに保留されていた識別要素の変動を消化するにあたって、所定の保留処理条件が成立していないときに比べて大当り確率が高まるよう制御する。このため、大当り終了時に保留されていた識別要素の変動を消化するときに大当りになる期待感が変わり、遊技者はその保留が消化されるのを格別な興趣を持って楽しむことができる。
【０００９】
手段２．手段１に記載の遊技機であって、前記大当り確率制御手段は、前記保留処理条件判定手段によって前記所定の保留処理条件が成立したと判定されたときに前記変動保留手段によって保留されていた識別要素の変動につき、保留消化回数が進むにつれて大当り確率が高まるよう制御する、遊技機。こうすれば、所定の保留処理条件が成立したときに保留されていた識別要素の変動につき、保留消化回数が進んだにもかかわらず大当りにならなかったとしてもその次は大当りになるかもしれないという期待感が膨らむ。ここで、「保留消化回数」とは、変動保留手段によって保留されている所定数の識別要素の変動につき、その保留を解除して識別要素の変動を実行（消化）するときの回数をいう。
【００１０】
手段３．手段１又は２に記載の遊技機であって、前記大当り確率制御手段は、前記保留処理条件判定手段によって前記所定の保留処理条件が成立したと判定されたときに前記変動保留手段によって保留されていた識別要素の変動につき、喚起態様が行われるにつれて大当り確率が高まるよう制御する、遊技機。こうすれば、所定の保留処理条件が成立したときに保留されていた識別要素の変動につき、喚起態様が行われるだけで大当りに至らなかったとしてもその次は大当りになるかもしれないという期待感が膨らむ。ここで、「喚起態様」とは、直前の態様に比べて遊技者の注意を引きつけたり、その後特別な遊技状態が発生することへの期待感を喚起させたりする態様をいい、従来知られている各種リーチを含む概念である。
【００１１】
手段４．手段１〜３のいずれかに記載の遊技機であって、前記大当り確率制御手段は、前記保留処理条件判定手段によって前記所定の保留処理条件が成立したと判定されたときに前記変動保留手段によって保留されていた識別要素の変動につき、保留消化回数が進むにつれて喚起態様が行われる確率が高まるよう制御すると共に喚起態様が行われるにつれて大当り確率が高まるよう制御する、遊技機。こうすれば、保留消化回数が進むつれて喚起態様が行われやすくなり、また喚起態様が行われるにつれて大当り確率が高まるため、結果的に保留消化回数が進むにつれて大当り確率が高まりやすくなる。
【００１２】
手段５．手段１〜４のいずれかに記載の遊技機であって、前記変動保留手段によって保留された識別要素の変動につき大当りか否かを判定するための当否判定値を各保留された識別要素の変動に対応づけて所定の当否判定値記憶部に格納する当否判定値格納手段と、前記当否判定値の判定を行うための当否判定指標として大当り確率が異なる二種以上の当否判定指標を記憶する当否判定指標記憶手段と、を備え、前記大当り確率制御手段は、前記保留処理条件判定手段によって前記所定の保留処理条件が成立したと判定されたときに前記変動保留手段によって保留されていた識別要素の変動に対応づけて前記当否判定値記憶部に格納されている当否判定値を判定するにあたり、前記当否判定指標記憶手段に記憶された大当り確率の高い当否判定指標を用いて当否判定を行うことがある、遊技機。こうすれば、保留されていた識別要素の変動を消化するときに所定の保留処理条件が成立しているか否かに応じて大当りになる期待感が変わることがあるため、遊技者は所定の保留処理条件が成立したあと保留されている識別要素の変動が消化されるのを格別な興趣を持って楽しむことができる。
【００１３】
手段６．手段５に記載の遊技機であって、前記大当り確率制御手段は、前記保留処理条件判定手段によって前記所定の保留処理条件が成立したと判定されたときに前記変動保留手段によって保留されていた識別要素の変動に対応づけて前記当否判定値記憶部に格納されている当否判定値を判定するにあたり、保留消化回数が進むにつれて前記当否判定指標記憶手段に記憶された大当り確率の高い当否判定指標を用いて当否判定を行う、遊技機。こうすれば、所定の保留処理条件が成立したときに保留されていた識別要素の変動につき、保留消化回数が進んだにもかかわらず大当りにならなかったとしてもその次は大当りになるかもしれないという期待感が膨らむ。
【００１４】
手段７．手段５又は６に記載の遊技機であって、前記大当り確率制御手段は、前記保留処理条件判定手段によって前記所定の保留処理条件が成立したと判定されたときに前記変動保留手段によって保留されていた識別要素の変動に対応づけて前記当否判定値記憶部に格納されている当否判定値を判定するにあたり、喚起態様が行われるにつれて前記当否判定指標記憶手段に記憶された大当り確率の高い当否判定指標を用いて当否判定を行う、遊技機。こうすれば、所定の保留処理条件が成立したときに保留されていた識別要素の変動につき、喚起態様が行われるだけで大当りに至らなかったとしてもその次は大当りになるかもしれないという期待感が膨らむ。
【００１５】
手段８．手段５〜７のいずれかに記載の遊技機であって、前記変動保留手段によって保留された識別要素の変動につき喚起態様を実行するか否かを判定するための喚起判定値を各保留された識別要素の変動に対応づけて所定の喚起判定値記憶部に格納する喚起判定値格納手段と、前記喚起判定値の判定を行うための喚起判定指標を記憶する喚起判定指標記憶手段と、を備え、前記大当り確率制御手段は、前記保留処理条件判定手段によって前記所定の保留処理条件が成立したと判定されたときに前記変動保留手段によって保留されていた識別要素の変動を消化するにあたって、該識別要素の変動に対応づけて前記喚起判定値記憶部に格納されている喚起判定値が前記喚起判定指標に照らして喚起態様ありか否かを判定し、喚起態様ありのときには大当り確率の高い当否判定指標を前記当否判定指標記憶部から選出し該当否判定指標を用いて次回の当否判定を行う、遊技機。こうすれば、所定の保留処理条件が成立したときに保留されていた識別要素の変動につき、喚起態様が行われるだけで大当りに至らなかったとしてもその次は大当りになるかもしれないという期待感が膨らむ。
【００１６】
手段９．手段８に記載の遊技機であって、前記喚起判定指標記憶手段は、喚起態様ありと判定される確率が異なる二種以上の喚起判定指標を記憶し、前記大当り確率制御手段は、前記保留処理条件判定手段によって前記所定の保留処理条件が成立したと判定されたときに前記変動保留手段によって保留されていた識別要素の変動を消化するにあたって、保留消化回数が進むにつれて前記喚起判定指標記憶手段から喚起態様ありと判定される確率の高い喚起判定指標を前記喚起判定指標記憶手段から選出し、該喚起判定指標を用いて前記識別要素の変動に対応づけて前記喚起判定値指標記憶部に格納されている喚起判定値の判定を行う、遊技機。こうすれば、保留消化回数が進むつれて喚起態様が行われやすくなり、また喚起態様が行われるにつれて大当り確率が高まるため、結果的に保留消化回数が進むにつれて大当り確率が高まりやすくなる。
【００１７】
手段１０．手段１〜９のいずれかに記載の遊技機であって、前記所定の保留処理条件は、遊技者が認識可能な条件である、遊技機。こうすれば、遊技者が知らないうちに所定の保留処理条件が成立してしまうことがない。ここで、「遊技者が認識可能な条件」とは、遊技者が認識することのできる条件であればどのような条件でもよいが、例えば、所定の入球口に遊技球が入球したときとか、開閉可能な入球口が開状態のときに遊技球が入球したときとか、識別要素の変動終了後の態様が所定の態様だったときなどが挙げられる。
【００１８】
手段１１．手段１〜１０のいずれかに記載の遊技機であって、前記所定の保留処理条件が成立したときには遊技者へ前記所定の保留処理条件が成立したことを報知する保留処理条件成立報知手段を備えた遊技機。こうすれば、遊技者に保留処理条件が成立したことを積極的に知らせることができる。
【００１９】
手段１２．手段１１に記載の遊技機であって、前記保留処理条件成立報知手段は、前記保留処理条件が成立したときには、前記変動保留手段が識別要素の変動を保留したことを表示する保留ランプを通常と異なる表示態様で表示させる、遊技機。こうすれば、保留ランプの表示態様によって遊技者に保留処理条件が成立したことを積極的に知らせることができる。なお、「通常と異なる表示態様」とは、通常とは異なる点灯の仕方や点滅の仕方であってもよいし、通常とは異なる色であってもよい。
【００２０】
手段１３．手段１〜１２のいずれかに記載の遊技機であって、前記変動保留手段は、前記識別要素の変動を所定の保留上限数まで保留する、遊技機。こうすれば、識別要素の変動保留を有限としたため、遊技ホールの利益と遊技者の利益との均衡をとることができる。
【００２１】
手段１４．前記遊技機はパチンコ機である手段１〜１３のいずれかに記載の遊技機。こうすれば、パチンコ機において、手段１〜１３の作用効果が得られる。ここで、パチンコ機は、いわゆる第１種、第２種、第３種と称される機種であってもよいが、これら以外の機種であっても各手段を備えたものであればよい。
【００２２】
手段１５．前記遊技機はパチンコ機とスロットマシンとを融合させてなる融合機である手段１〜１３のいずれかの遊技機。こうすれば、パチンコ機とスロットマシンとを融合させてなる融合機において、手段１〜１３の作用効果が得られる。ここで、融合機としては、例えば遊技媒体としてメダルの代わりに遊技球を用いるスロットマシンなどが挙げられる。
【００２３】
なお、本発明の遊技機は、パチンコ機や、パチンコ機とスロットマシンとを融合させてなる融合機などを挙げることができるが、この他、種々の遊技機（例えばスロットマシンやゲームセンタに設置されるゲーム機など）に適用することもできる。
【００２４】
【発明の実施の形態】
図１は本発明の一実施例であるパチンコ機２０を正面から見た外観図であり、図２はパチンコ機２０の遊技盤３０の構成の概略を示す構成図であり、図３は実施例のパチンコ機２０の電気的接続を例示するブロック図である。実施例のパチンコ機２０は、図１に示すように、前面枠２２にはめ込まれたガラスに覆われた遊技盤３０と、遊技球を貯留する上受け皿２４および下受け皿２６と、遊技球を遊技盤３０へ発射するための発射ツマミ２８と、パチンコ機２０全体を制御するメイン制御装置７０（図３参照）とを備える。
【００２５】
遊技盤３０は、図２に示すように、遊技盤３０の中央の上部に配置された普通図柄表示装置３２と、遊技盤３０の左右部に各々配置され遊技球の通過を検知する普通図柄始動口スイッチ３６ａ，３６ｂを有する普通図柄表示装置作動ゲート３４ａ，３４ｂと、普通図柄表示装置３２の下側に配置された特別図柄表示装置４０と、特別図柄表示装置４０の下側に配置され遊技球の入賞を検知する特別図柄始動口スイッチ４４を有する始動口４２と、始動口４２に取り付けられ開閉可能なチューリップ式の普通電動役物４６と、始動口４２の下側に配置され開閉可能な大入賞口５０と、遊技盤３０の左右下部に計４個配置された普通入賞口６０ａ〜６０ｄと、いずれの入賞口にも入らなかった遊技球を回収するアウト口６９とを備える。
【００２６】
普通図柄表示装置３２は、背後に設けられた図示しないランプの点灯を切り換えることにより変動表示する「○」および「×」の図柄３２ａ，３２ｂと、この「○」および「×」の図柄３２ａ，３２ｂの上側に配置された４個の普通図柄変動保留ランプ３３ａ〜３３ｄとを備える。「○」および「×」の図柄３２ａ，３２ｂは、遊技球が普通図柄表示装置作動ゲート３４ａ，３４ｂに入賞したのを検知したときに変動表示の開始がなされ、所定時間変動表示後に「○」および「×」の図柄３２ａ，３２ｂのいずれかを点灯した状態で変動表示を終了する。普通図柄変動保留ランプ３３ａ〜３３ｄは、普通図柄表示装置３２による「○」および「×」の図柄３２ａ，３２ｂの変動表示の最中に遊技球が普通図柄表示装置作動ゲート３４ａ，３４ｂに入賞するごとに左側から順に一つずつ点灯され、普通図柄表示装置３２による「○」および「×」の図柄３２ａ，３２ｂの変動表示が開始される毎に点灯とは逆の順に消灯されることにより、変動表示の最中に普通図柄表示装置作動ゲート３４ａ，３４ｂに入賞した回数を最大４回まで保留回数として示す。
【００２７】
始動口４２に設けられたチューリップ式の普通電動役物４６は、普通図柄表示装置３２による変動表示が「○」の図柄３２ａで停止したときに当たりとしてチューリップを所定時間（例えば０．３秒間）開くものとして構成されている。
【００２８】
特別図柄表示装置４０は、液晶ディスプレーなどの表示装置として構成されており、図３に示す表示用制御装置９０により表示内容が制御されている。特別図柄表示装置４０は、通常、図４に例示するように、キャラクタと数字とから構成される左，中，右の３個の図柄（識別要素）Ｌ，Ｍ，Ｒを表示しており、遊技球が始動口４２に入賞するのを検知したときにこの３個の図柄Ｌ，Ｍ，Ｒを変動表示させる。そして、所定の変動時間が終了したときに、３個の図柄Ｌ，Ｍ，Ｒを図柄Ｌ，図柄Ｒ，図柄Ｍの順に変動表示を停止し、３個の図柄Ｌ，Ｍ，Ｒが一致したときに大当りとして特別遊技動画を表示する。特別遊技動画の一例を図５および図６に示す。
【００２９】
遊技盤３０には、普通図柄表示装置３２と特別図柄表示装置４０との間に４個の特別図柄変動保留ランプ４１ａ〜４１ｄが設けられている。この特別図柄変動保留ランプ４１ａ〜４１ｄは、特別図柄表示装置４０による３個の図柄Ｌ，Ｍ，Ｒの変動表示の最中や特別遊技動画を表示している最中に遊技球が始動口４２に入賞するごとに左側から順に一つずつ点灯され、特別図柄表示装置４０による３個の図柄Ｌ，Ｍ，Ｒの変動表示が開始される毎に点灯とは逆の順に消灯されることにより、変動表示の最中や特別遊技動画を表示している最中に始動口４２に入賞した球数を最大４個まで保留球数として示す。また、この特別図柄変動保留ランプ４１ａ〜４１ｄは、通常時のランプ色（ここでは赤色）か特別時のランプ色（ここでは緑色）のいずれかで点灯される。
【００３０】
大入賞口５０は、通常は遊技球を受け入れない閉状態とされており、遊技球の入賞をカウントする１０カウントスイッチ５４（図３参照）や大入賞口５０の中央部に設けられたＶゾーン５６に遊技球が入賞したのを検出するＶカウントスイッチ５８（図３参照）を備えている。この大入賞口５０は、大当り中、図３に示す大入賞口駆動装置５２によって遊技球を受け入れやすい開状態と通常の閉状態とが繰り返される。具体的には、次のように定められたラウンドが最大１６回繰り返される。即ち、開状態の大入賞口５０に遊技球が１０球入賞したことを１０カウントスイッチ５４により検出するか又は開状態になってから予め定められた所定時間が経過したときに１回のラウンドが終了して大入賞口５０は閉状態とされるが、そのラウンド中に大入賞口５０に入賞した遊技球がＶゾーン５６を通過してＶカウントスイッチ５８がオンされたときには次回のラウンドに進むことができ、このラウンドが最大１６回繰り返される。
【００３１】
遊技盤３０には、この他、発射された遊技球を円弧上に導くレール６２や遊技盤３０の中央部に導く左右の肩部に配置されたランプ風車６４ａ，６４ｂ，普通図柄表示装置作動ゲート３４ａ，３４ｂの近傍に配置された風車６６ａ，６６ｂ，特別図柄表示装置４０の両横に取り付けられた計８個のインジケータ６８ａ〜６８ｈなども取り付けられている。なお、遊技球をガイドしたり弾いたりしてその遊技性を高める複数の釘については図示を省略した。
【００３２】
メイン制御装置７０は、ＣＰＵ７２を中心とするマイクロコンピュータとして構成されており、ＣＰＵ７２には電源を供給する電源回路７３の他に、処理プログラムを記憶するＲＯＭ７４や一時的にデータを記憶するＲＡＭ７６，所定周波数の矩形波を出力するクロック回路７８，入出力処理回路８０がバス８２によって接続されている。メイン制御装置７０には、普通図柄始動口スイッチ３６ａ，３６ｂからの入賞信号や特別図柄始動口スイッチ４４からの始動信号，１０カウントスイッチ５４からのカウント信号，Ｖカウントスイッチ５８からのＶ信号，普通入賞スイッチや賞球カウントスイッチなどの他の入力装置８８からの入力信号などが入出力処理回路８０を介して入力されている。また、メイン制御装置７０からは、普通図柄表示装置３２への駆動信号や大入賞口駆動装置５２への駆動信号，普通図柄変動保留ランプ３３ａ〜３３ｄや特別図柄変動保留ランプ４１ａ〜４１ｄへの点灯信号，普通電動役物４６への駆動信号、スピーカ８６が接続された音声用制御装置８４への制御信号，特別図柄表示装置４０の表示制御を司る表示用制御装置９０への制御信号，賞球の払い出しを司る賞球制御装置などの他の出力装置８９への駆動信号などが入出力処理回路８０を介して出力されている。なお、インジケータ６８ａ〜６８ｈへの点灯信号は他の出力装置８９から出力されている。
【００３３】
次に、メイン制御装置７０により実行される特別図柄表示装置４０に関するメイン制御プログラムについて説明する。図７は、このプログラムの一例を示すフローチャートである。このプログラムは、ＲＯＭ７４に記憶されており、所定時間毎（例えば２ｍｓｅｃ毎）にＣＰＵ７２により繰り返し実行される。メイン制御プログラムが開始されると、メイン制御装置７０のＣＰＵ７２は、図８に例示する始動入賞処理ルーチン（ステップＳ１００）、図９に例示する変動開始処理ルーチン（ステップＳ２００）、図１０に例示する変動停止処理ルーチン（ステップＳ３００）、図１１に例示するカウンタ更新処理ルーチン（ステップＳ４００）を実行し、その後、図１２に例示する外れ図柄カウンタ更新処理ルーチン（ステップＳ５００）を残余時間中繰り返し実行する。この制御プログラムの理解のしやすさを考慮して、まず、カウンタ更新処理と外れ図柄カウンタ更新処理について説明し、その後その他の各処理について説明する。
【００３４】
［カウンタ更新処理］
図１１のカウンタ更新処理ルーチンが開始されると、メイン制御装置７０のＣＰＵ７２は、内部乱数カウンタＣ１，リーチ乱数カウンタＣ２，大当り図柄カウンタＣ３，変動パターンカウンタＣ４の各々のカウンタをインクリメントする処理を実行する（ステップＳ４１０）。図１３は、カウンタ用バッファ及び各種カウンタの説明図である。この図１３に示すように、内部乱数カウンタＣ１は、大当りか否かを判定する際に用いられるカウンタであり、本実施形態では０〜６２９までを順に値１ずつインクリメントし、最大値（つまり６２９）に達した後再び０に戻るループカウンタである。リーチ乱数カウンタＣ２は、外れ時にリーチ遊技を行うか否かを決定する際に用いられるカウンタであり、本実施形態では０〜１１までを順に値１ずつインクリメントし、最大値（つまり１１）に達した後再び０に戻るループカウンタである。大当り図柄カウンタＣ３は、大当りのときに特別図柄表示装置４０で変動表示している左，中，右の３個の図柄Ｌ，Ｍ，Ｒの変動停止時の図柄（大当り図柄）を決定する際に用いられるループカウンタであり、本実施形態では０〜１１までを順に値１ずつインクリメントし、最大値（つまり１１）に達した後再び０に戻るループカウンタである。変動パターンカウンタＣ４は、特別図柄表示装置４０の左，中，右の３個の図柄Ｌ，Ｍ，Ｒを変動表示させるパターンを決定する際に用いられるループカウンタであり、本実施形態では０〜９９までを順に値１ずつインクリメントし、最大値（つまり９９）に達した後再び０に戻るループカウンタである。こうして各カウンタを更新すると、各カウンタをＲＡＭ７６の所定領域に設定されたカウンタ用バッファに格納して（ステップＳ４２０）、カウンタ更新処理を終了する。
【００３５】
［外れ図柄カウンタ更新処理］
図１２の外れ図柄カウンタ更新処理ルーチンが開始されると、メイン制御装置７０のＣＰＵ７２は、まず、外れ図柄左カウンタＣＬをインクリメントする処理を実行する（ステップＳ５１０）。図１３に示すように、外れ図柄左カウンタＣＬは、外れのときに特別図柄表示装置４０で変動表示している左，中，右の３個の図柄Ｌ，Ｍ，Ｒの変動停止時の図柄（外れ図柄）のうち左の図柄Ｌを決定する際に用いられるループカウンタであり、ここでは０〜図柄の数から値１を減じた数までを順に値１ずつインクリメントする。続いて外れ図柄左カウンタＣＬが値０であるかを判定し（ステップＳ５２０）、外れ図柄左カウンタＣＬが値０であるときには、外れ図柄右カウンタＣＲをインクリメントする（ステップＳ５３０）。外れ図柄右カウンタＣＲは、外れのときに特別図柄表示装置４０で変動表示している左，中，右の３個の図柄Ｌ，Ｍ，Ｒの変動停止時の図柄（外れ図柄）のうち右の図柄Ｒを決定する際に用いられるループカウンタであり、ここでは外れ図柄左カウンタＣＬと同様に０〜図柄の数から値１を減じた数までを順に値１ずつインクリメントする。同様に、外れ図柄右カウンタＣＲが値０であるかを判定し（ステップＳ５４０）、外れ図柄右カウンタＣＲが値０であるときには、外れ図柄中カウンタＣＭをインクリメントする（ステップＳ５５０）。ここで、外れ図柄中カウンタＣＭは、外れのときに特別図柄表示装置４０で変動表示している左，中，右の３個の図柄Ｌ，Ｍ，Ｒの変動停止時の図柄（外れ図柄）のうち中の図柄Ｍを決定する際に用いられるループカウンタであり、ここでは外れ図柄左カウンタＣＬや外れ図柄右カウンタＣＲと同様に０〜図柄の数から値１を減じた数までを順に値１ずつインクリメントする。各外れ図柄カウンタＣＬ，ＣＲ，ＣＭをインクリメントするか、ステップＳ５２０で外れ図柄左カウンタＣＬが値０でないと判定されたときか、ステップＳ５４０で外れ図柄右カウンタＣＲが値０でないと判定されたときは、外れ図柄左カウンタＣＬと外れ図柄右カウンタＣＲとが一致するかを判定する（ステップＳ５６０）。外れ図柄左カウンタＣＬと外れ図柄右カウンタＣＲとが一致しないときには、各外れ図柄カウンタＣＬ，ＣＭ，ＣＲをＲＡＭ７６の所定領域に設定された外れ図柄バッファ（図１３参照）に格納して（ステップＳ５７０）、本ルーチンを終了する。一方、外れ図柄左カウンタＣＬと外れ図柄右カウンタＣＲとが一致するときには、外れ図柄中カウンタＣＭも一致するかを判定する（ステップＳ５８０）。外れ図柄左カウンタＣＬと外れ図柄右カウンタＣＲは一致するが外れ図柄中カウンタＣＭは異なるときには、各外れ図柄カウンタＣＬ，ＣＭ，ＣＲをＲＡＭ７６の所定領域に設定された外れリーチ図柄バッファ（図１３参照）に格納して（ステップＳ５９０）、本ルーチンを終了する。各外れ図柄カウンタＣＬ，ＣＭ，ＣＲの全てが一致するときは、外れ図柄ではないから各外れ図柄カウンタＣＬ，ＣＭ，ＣＲの外れ図柄バッファや外れリーチ図柄バッファへの格納を行うことなく本ルーチンを終了する。
【００３６】
この外れ図柄カウンタ更新処理ルーチンは、図７に例示したメイン制御プログラムのフローチャートから解るように、所定時間経過毎にメイン制御プログラムが実行されるまでの空き時間に繰り返し行われる。したがって、内部乱数カウンタＣ１やリーチ乱数カウンタＣ２などの他のカウンタがメインルーチンが実行される毎にカウントアップするのに対して、外れ図柄左カウンタＣＬはメインルーチンが実行される毎に加えて空き時間に繰り返し実行される毎にカウントアップする。
【００３７】
［始動入賞処理］
図８の始動入賞処理ルーチンが開始されると、メイン制御装置７０のＣＰＵ７２は、まず、遊技球が始動口４２に入賞したか否かを判定する（ステップＳ１１０）。この判定は、特別図柄始動口スイッチ４４がオンとされたか否かによって行うことができる。遊技球が始動口４２に入賞したと判定されると、保留球数Ｎが４未満であるか否かを調べる（ステップＳ１２０）。前述したように、本実施形態では保留上限値が４個だからである。保留球数Ｎが４未満のときには、保留球数Ｎを値１だけインクリメントし（ステップＳ１３０）、特別図柄変動保留ランプ４１ａ〜４１ｄを左から順に所定の色（ここでは赤）で１つ点灯し（ステップＳ１４０）、図１１のカウンタ更新処理のステップＳ４２０や図１２の外れ図柄カウンタ更新処理のステップＳ５７０，Ｓ５９０でＲＡＭ７６のカウンタ用バッファに格納された内部乱数カウンタ値、リーチ乱数カウンタ値、大当り図柄カウンタ値、外れ図柄カウンタ集合値（外れ図柄バッファや外れリーチ図柄バッファに一時記憶されている各外れ図柄カウンタＣＲ，ＣＭ，ＣＬの値の集合）を、同じくＲＡＭ７６の所定領域に設定された保留球格納エリアの空き記憶エリアのうち最初のエリアに格納する（ステップＳ１５０）。このときの保留球格納エリアの構造の一例を図１３及び図１４に示す。図１４に示すように、保留球格納エリアは、１つの実行エリアと４つの保留エリア（第１〜第４保留エリア）とから構成され、各エリアは内部乱数カウンタ値、リーチ乱数カウンタ値、大当り図柄カウンタ値、外れ図柄カウンタ集合値を格納可能である。各カウンタ値の保留球格納エリアへの格納処理を終了した後や、ステップＳ１１０で遊技球は始動口４２に入賞していないと判定されたときや、あるいはステップＳ１２０で保留球数Ｎが４未満と判定されなかったときには、保留球数Ｎが値０より大きいか否かを判定すると共に（ステップＳ１６０）、特別図柄表示装置４０で左，中，右の図柄Ｌ，Ｍ，Ｒを変動表示中であるか否か、あるいは、大当り中であるか否かを判定する（ステップＳ１７０）。保留球数Ｎが値０でなく、特別図柄表示装置４０が変動表示中でもなく、大当り中でもないときには、大当り終了直後か否かを判定し（ステップＳ１８０）、大当り終了直後のときには、後述する表示コマンド決定処理ルーチン（図１５参照）において通常時とは異なる保留球特別処理を実行するために保留球特別処理フラグＦｓに１をセットし、現在の保留球数から保留球特別処理が実行されるごとに１ダウンカウントする減算カウンタＤｃｎに現在の保留球数をセットし、保留球特別処理の実行回数をカウントする特別処理回数カウンタＵｃｎをリセットしてゼロとし、保留球特別処理実行中にリーチ当りとなった回数をカウントするリーチ回数カウンタＲｃｎをリセットしてゼロとし（ステップＳ１８５）、続いて現在点灯中の特別図柄変動保留ランプの色を特別色である緑色に変更する（ステップＳ１９０）。その後、あるいは、ステップＳ１８０で大当り終了直後でなかったときには、変動許可フラグＦ１（初期設定時はゼロ）に１をセットして（ステップＳ１９５）、本ルーチンを終了する。なお、保留球特別処理フラグＦｓはＲＡＭ７６の所定領域に記憶され、各カウンタＤｃｎ、Ｕｃｎはメイン制御装置７０内に設けられており、いずれも初期設定時はゼロである。
【００３８】
［変動開始処理］
図９に示す変動開始処理ルーチンが開始されると、メイン制御装置７０のＣＰＵ７２は、まず、変動許可フラグＦ１が値１であるか否かを判定する処理を実行する（ステップＳ２１０）。変動許可フラグＦ１が値１でないときには、保留球数Ｎが値０であるか、特別図柄表示装置４０によって左，中，右の３個の図柄Ｌ，Ｍ，Ｒが変動表示中であるか、大当り中であるかのいずれかの場合であると判断して、変動開始処理を終了する。変動許可フラグＦ１が値１のときには、特別図柄変動保留ランプ４１ａ〜４１ｄを右側から順に１つ消灯すると共に（ステップＳ２２０）、保留球数Ｎを値１だけデクリメントし（ステップＳ２３０）、保留球格納エリアに格納されたデータをシフトする処理を行う（ステップＳ２４０）。このデータシフト処理は、図１４に例示する保留球格納エリアの４つの保留エリアに格納されているデータを実行エリア側にワンブロックだけシフトさせる処理である。即ち、第１保留エリアのデータを実行エリアに、第２保留エリアのデータを第１保留エリアに、第３保留エリアのデータを第２保留エリアに、第４保留エリアのデータを第３保留エリアに移動させる処理である。次に特別図柄表示装置４０に左，中，右の３個の図柄Ｌ，Ｍ，Ｒを変動表示させた後に変動表示停止時の図柄を設定する停止図柄コマンドと、特別図柄表示装置４０による左，中，右の３個の図柄Ｌ，Ｍ，Ｒの変動パターンコマンドとからなる表示コマンドの決定処理を行い（ステップＳ２５０）、決定した表示コマンドを入出力処理回路８０を介して表示用制御装置９０に送信し（ステップＳ２６０）、変動許可フラグＦ１に値０をセットして（ステップＳ２７０）、変動開始処理を終了する。表示コマンドを受信した表示用制御装置９０は、この表示コマンドのうちの変動パターンコマンドに従って特別図柄表示装置４０の左，中，右の３個の図柄Ｌ，Ｍ，Ｒを変動表示すると共に後述する確定コマンドを受信したときに停止図柄コマンドに従って特別図柄表示装置４０の左，中，右の３個の図柄Ｌ，Ｍ，Ｒの変動表示を停止する。なお、ステップＳ２５０の表示コマンド決定処理は、図１５に例示するフローチャートを用いて行われる。
【００３９】
図１５に示す表示コマンド決定処理ルーチンが開始されると、メイン制御装置７０のＣＰＵ７２は、まず、保留球特別処理フラグＦｓが１にセットされているか否かを判定し（ステップＳ６００）、保留球特別処理フラグＦｓが１にセットされていないときには、ステップＳ６１０〜Ｓ６８０の通常の処理を実行する。即ち、まず、保留球格納エリアの実行エリアに格納されている内部乱数カウンタ値が大当りか否かを判定する（ステップＳ６１０）。この大当り判定は、内部乱数カウンタ値を大当り判定テーブルに照らすことにより行う。ここで使用される大当り判定テーブルは通常時大当り判定テーブルであり、ここには内部乱数カウンタ値の取り得る値０〜６２９のうち所定の２つが大当り値として設定されているため大当り確率は１／３１５となっている（図１７（ａ）参照）。さて、ステップＳ６１０で大当りと判定されると、保留球格納エリアの実行エリアに格納されている大当り図柄カウンタＣ３の値を停止図柄コマンドに設定し（ステップＳ６２０）、図１９に例示する大当り時変動パターンコマンド決定処理を行って（ステップＳ６３０）、表示コマンド決定処理を終了する。大当り時変動パターンコマンド決定処理では、ＲＡＭ７６の所定領域に設定されたバッファに格納されている変動パターンカウンタＣ４の値を調べ（ステップＳ６３２）、変動パターンカウンタＣ４が２０未満のときにはパターンＢを変動パターンコマンドに設定し（ステップＳ６３４）、変動パターンカウンタＣ４が２０以上６０未満のときにはパターンＣを変動パターンコマンドに設定し（ステップＳ６３６）、変動パターンカウンタＣ４が６０以上のときにはパターンＤを変動パターンコマンドに設定する（ステップＳ６３８）。各パターンについては後述する。
【００４０】
一方、ステップＳ６１０で大当りではないと判定されると、保留球格納エリアの実行エリアに格納されているリーチ乱数カウンタ値がリーチ当りか否かを判定する（ステップＳ６４０）。このリーチ当り判定は、リーチ乱数カウンタ値をリーチ当り判定テーブルに照らすことにより行う。ここで使用されるリーチ当り判定テーブルは通常時リーチ当り判定テーブルであり、ここにはリーチ乱数カウンタ値の取り得る値０〜１１のうち所定の１つがリーチ当り値として設定されているためリーチ当り確率は１／１２となっている（図１８（ａ）参照）。さて、ステップＳ６４０でリーチ当りと判定されると、ＲＡＭ７６の所定領域に設定された外れリーチ図柄バッファに格納されている外れ図柄カウンタＣＬ，ＣＭ，ＣＲの値を停止図柄コマンドに設定し（ステップＳ６５０）、図２０に例示する外れリーチ時変動パターンコマンド決定処理を行って（ステップＳ６６０）、表示コマンド決定処理を終了する。外れリーチ時変動パターンコマンド決定処理では、大当り時変動パターン決定処理と同様に、ＲＡＭ７６の所定領域に設定されたバッファに格納されている変動パターンカウンタＣ４の値を調べ（ステップＳ６６２）、変動パターンカウンタＣ４が５０未満のときにはパターンＢを変動パターンコマンドに設定し（ステップＳ６６４）、変動パターンカウンタＣ４が５０以上９０未満のときにはパターンＣを変動パターンコマンドに設定し（ステップＳ６６６）、変動パターンカウンタＣ４が９０以上のときにはパターンＤを変動パターンコマンドに設定する（ステップＳ６６８）。なお、ステップＳ６４０でリーチ当りでないと判定されると、保留球格納エリアの実行エリアに格納されている外れ図柄カウンタＣＬ，ＣＭ，ＣＲの値を停止図柄コマンドに設定し（ステップＳ６７０）、パターンＡを変動パターンコマンドに設定して（ステップＳ６８０）、本ルーチンを終了する。
【００４１】
ところで、ステップＳ６００で保留球特別処理フラグＦｓが１にセットされているときには、図１６に示す保留球特別処理ルーチンを実行する（ステップＳ６９０）。まず、ＣＰＵ７２は、減算カウンタＤｃｎの値を１デクリメントすると共に特別処理回数カウンタＵｃｎの値を１インクリメントする（ステップＳ７０２）。続いて、リーチ回数カウンタＲｃｎの値を読み出し、その値に基づいて図１７に示す大当り判定テーブル群の中から今回使用する大当り判定テーブルを選定する（ステップＳ７０４）。具体的には、リーチ回数カウンタＲｃｎの値が０のときには大当り値が２個で大当り確率が１／３１５の通常時の大当り判定テーブルを採用し（図１７（ａ）参照）、リーチ回数カウンタＲｃｎの値が１のときには大当り値が７個で大当り確率が１／９０の大当り判定テーブルを採用し（図１７（ｂ）参照）、リーチ回数カウンタＲｃｎの値が２のときには大当り値が１４個で大当り確率が１／４５の大当り判定テーブルを採用し（図１７（ｃ）参照）、リーチ回数カウンタＲｃｎの値が３のときには大当り値が２１個で大当り確率が１／３０の大当り判定テーブルを採用する（図１７（ｄ）参照）。なお、大当り判定テーブル群は、ＲＯＭ７４の所定領域に格納されている。また、リーチ回数カウンタＲｃｎの取り得る値を０〜３としたのは、本実施形態の保留上限値が４であるため、１回目の保留球特別処理を開始する時点でのリーチ回数カウンタＲｃｎは０、４回目（最終回）の保留球特別処理を開始する時点でのリーチ回数カウンタＲｃｎは最大３となるからである。
【００４２】
続いて、特別処理回数カウンタＵｃｎの値を読み出し、その値に基づいて図１８に示すリーチ当り判定テーブル群の中から今回使用するリーチ当り判定テーブルを選定する（ステップＳ７０６）。具体的には、特別処理回数カウンタＵｃｎの値が１のときにはリーチ当り値が１個でリーチ当り確率が１／１２の通常時のリーチ当り判定テーブルを採用し（図１８（ａ）参照）、特別処理回数カウンタＵｃｎの値が２のときにはリーチ当り値が２個でリーチ当り確率が１／６のリーチ当り判定テーブルを採用し（図１８（ｂ）参照）、特別処理回数カウンタＵｃｎの値が３のときにはリーチ当り値が３個でリーチ当り確率が１／４のリーチ当り判定テーブルを採用し（図１８（ｃ）参照）、特別処理回数カウンタＵｃｎの値が４のときにはリーチ当り値が４個で大当り確率が１／３のリーチ当り判定テーブルを採用する（図１８（ｄ）参照）。なお、リーチ当り判定テーブルは、ＲＯＭ７４の所定領域に格納されている。また、特別処理回数カウンタＵｃｎの取り得る値を１〜４としたのは、本実施形態の保留上限値が４だからである。
【００４３】
そして、大当り判定テーブル及びリーチ当り判定テーブルを選定したあと、保留球格納エリアの実行エリアに格納されている内部乱数カウンタ値が大当りか否かを判定する（ステップＳ７１０）。この大当り判定は、内部乱数カウンタ値をステップＳ７０４で選定された大当り判定テーブルに照らすことにより行う。そして大当りと判定されると、保留球格納エリアの実行エリアに格納されている大当り図柄カウンタＣ３の値を停止図柄コマンドに設定し（ステップＳ７２０）、既述の大当り時変動パターンコマンド決定処理（図１９参照）を行って（ステップＳ７３０）、このルーチンを終了する。
【００４４】
一方、ステップＳ７１０で大当りではないと判定されると、保留球格納エリアの実行エリアに格納されているリーチ乱数カウンタ値がリーチ当りか否かを判定する（ステップＳ７４０）。このリーチ当り判定は、リーチ乱数カウンタ値をステップＳ７０６で選定されたリーチ当り判定テーブルに照らすことにより行う。そして、リーチ当りと判定されると、ＲＡＭ７６の所定領域に設定された外れリーチ図柄バッファに格納されている外れ図柄カウンタＣＬ，ＣＭ，ＣＲの値を停止図柄コマンドに設定し（ステップＳ７５０）、既述の外れリーチ時変動パターンコマンド決定処理（図２０参照）を行い（ステップＳ７６０）、今回リーチを行うためリーチ回数カウンタＲｃｎの値を１インクリメントする（ステップＳ７８２）。このようにリーチ回数カウンタＲｃｎの値がインクリメントされると、次回このルーチンのステップＳ７０４で有利な大当り確率の大当り判定テーブルが選定されることになる。続いて、減算カウンタＤｃｎの値が０か否かを判定し（ステップＳ７８４）、減算カウンタＤｃｎの値が０でないときつまり大当り終了直後に保留されていた保留球を消化しきっていないときには、そのままこのルーチンを終了し、減算カウンタＤｃｎの値が０のときつまり大当り終了直後に保留されていた保留球をすべて消化したときには、保留球特別処理フラグＦｓをリセットして０にし（ステップＳ７８６）、このルーチンを終了する。
【００４５】
一方、ステップ７４０でリーチ当りでないと判定されると、保留球格納エリアの実行エリアに格納されている外れ図柄カウンタＣＬ，ＣＭ，ＣＲの値を停止図柄コマンドに設定し（ステップＳ７７０）、パターンＡを変動パターンコマンドに設定し（ステップＳ７８０）、その後既述したステップＳ７８４以降の処理を行ったあと、このルーチンを終了する。
【００４６】
本実施形態では各変動パターンは次のように設定されている。パターンＡは、特別図柄表示装置４０による左，中，右の３個の図柄Ｌ，Ｍ，Ｒの変動表示を開始した後、７秒後に左図柄Ｌを停止し、８秒後に右図柄Ｒを停止し、９秒後に中図柄Ｍを停止するパターンとして設定されている。パターンＢは、特別図柄表示装置４０による左，中，右の３個の図柄Ｌ，Ｍ，Ｒの変動表示を開始した後、７秒後に左図柄Ｌを停止し、８秒後に右図柄Ｒを停止したときに左図柄Ｌと右図柄Ｒとが一致するときに中図柄Ｍを低速度で７秒間変動表示させて停止するいわゆるノーマルリーチのパターンとして設定されている。パターンＣは、パターンＢの中図柄Ｍの停止タイミングで中図柄Ｍの変動表示を停止することなく高速度で更に５秒間変動表示した後に停止するいわゆるスーパーリーチのパターンとして設定されている。パターンＤは、パターンＣの中図柄Ｍの停止タイミングで中図柄Ｍの変動表示を停止することなく低速度で更に１０秒間変動表示した後に大当り図柄または大当り図柄の前後の図柄で停止するいわゆるスペシャルリーチのパターンとして設定されている。なお、スーパーリーチやスペシャルリーチでは、単に左，中，右の３個の図柄Ｌ，Ｍ，Ｒを変動表示するだけでなく、所定のリーチ遊技が行われる。
【００４７】
図１９及び図２０を用いて説明したように大当り時変動パターンコマンド決定処理では外れリーチ時変動パターンコマンド決定処理に比してパターンＤが設定されやすくなっており、逆に外れリーチ時変動パターンコマンド決定処理では大当り時変動パターンコマンド決定処理に比してパターンＢが設定されやすくなっている。即ち、大当り時変動パターンコマンド決定処理ではスペシャルリーチが設定されやすく、外れリーチ時変動パターンコマンド決定処理ではノーマルリーチが設定されやすくなっている。このように設定することにより遊技性を高め興趣の向上を図っているのである。
【００４８】
［変動停止処理］
図１０の変動停止処理ルーチンが開始されると、メイン制御装置７０のＣＰ７２は、まず、大当り中であるか否かを判定する（ステップＳ３１０）。ここで、大当り中には、大当りの際に特別図柄表示装置４０で表示される特別遊技の最中と特別遊技終了後の所定時間の最中とが含まれる。特別遊技終了後の所定時間は、例えばパチンコ機２０の各状態を整えるのに要する時間などとして設定される。大当り中ではないと判定されると、変動パターンにおける変動時間が終了しているか否かを判定する（ステップＳ３２０）。この処理は、変動開始処理で説明したように各変動パターンはパターン毎に変動時間が設定されているから、その時間を経過したかを判定することにより行なわれる。変動時間が終了であるときには、変動表示の停止と確認のために設定されている停止図柄を確定コマンドとして表示用制御装置９０に送信する（ステップＳ３３０）。そして、大当りか否かを判定して（ステップＳ３４０）、大当りのときには大当り実行コマンドを大入賞口駆動装置５２や表示用制御装置９０に送信して（ステップＳ３５０）、本ルーチンを終了する。大当り実行コマンドを受信した大入賞口駆動装置５２は、Ｖゾーン５６への入球を条件に１０カウントスイッチ５４で１０個の入球を検出するか所定時間経過するまで大入賞口５０を開状態にしその後閉状態にするという動作を最大１６回に亘って繰り返す。また、大当り実行コマンドを受信した表示用制御装置９０は、図５や図６に示す特別遊技動画を特別図柄表示装置４０に出力する。ここで、ステップＳ３４０の大当りの判定は、変動開始処理におけるステップＳ２５０の表示コマンド決定処理（図１５）で行われているからその判定結果を用いるものとしてもよいし、保留球格納エリアの実行エリアに格納されている内部乱数カウンタ値を用いて判定するものとしてもよい。なお、ステップＳ３１０で大当り中と判定されたときやステップＳ３２０で変動時間が終了していないと判定されたとき、あるいはステップＳ３４０の大当り判定で大当りでないと判定されたときには、判定後に本ルーチンを終了する。
【００４９】
ここで、本実施形態の構成要素と本発明の構成要素との対応関係を明らかにする。本実施形態のメイン制御装置７０のＣＰＵ７２が、変動保留手段、保留処理条件判定手段、大当り確率制御手段、当否判定値格納手段及び喚起判定値格納手段に相当し、ステップＳ１３０が変動保留手段の処理に、ステップＳ１８０が保留処理条件判定手段の処理に、保留球特別処理ルーチンが大当り確率制御手段の処理に、ステップＳ１５０が各判定値格納手段の処理に相当する。また、本実施形態の保留球格納エリアにおける内部乱数カウンタ値やリーチ乱数カウンタ値を記憶する領域が、当否判定値記憶部や喚起判定値記憶部に相当する。
【００５０】
以上説明した本実施形態のパチンコ機２０によれば、図９の始動入賞処理ルーチンのステップＳ１８０で大当り終了直後と判定されたとき（本発明の所定の保留処理条件が成立したときに相当）、大当り終了直後に保留されていた特別図柄変動につき、大当り終了直後でないときと比べて大当り確率が高くなることがあるように制御する。つまり、保留されている特別図柄変動を消化するときに大当り終了直後か否かに応じて大当りになる期待感が変わる。したがって、遊技者は、大当り終了直後に保留されていた特別図柄の変動が消化されるのを格別な興趣を持って楽しむことができる。
【００５１】
また、大当り終了直後に保留されていた特別図柄変動につき、リーチが行われるにつれてリーチ回数カウンタＲｃｎの値をカウントアップし次回の大当り判定テーブルを大当り確率の高いテーブルに切り替えるため、リーチが行われるだけで大当りに至らなかったとしてもその次は大当りになるかもしれないという期待感が膨らむ。しかも、大当り終了直後に保留されていた特別図柄変動につき、保留消化回数が進むにつれて特別処理回数カウンタＵｃｎの値をカウントアップしリーチ当り判定テーブルをリーチ当り確率の高いテーブルに切り替えるため、保留消化回数が進むにつれてリーチが行われやすくなり、ひいてはリーチ回数カウンタＲｃｎの値がカウントアップしやすくなり大当り判定テーブルが大当り確率
【００５２】
更に、大当り終了直後に点灯していた特別図柄変動保留ランプの色を通常時の色から特別時の色に切り替えるため、遊技者はこれらの保留が消化されるときに通常とは異なる特別な処理が行われることを積極的に知らせることができる。但し、これに代えて又はこれに加えて、スピーカや他のランプによって大当り終了直後であることを積極的に報知してもよい。
【００５３】
なお、本発明の実施の形態は、上述した実施形態に何ら限定されるものではなく、本発明の技術的範囲に属する限り種々の形態を採り得ることはいうまでもない。
【００５４】
例えば、上述した実施形態では、本発明の所定の保留処理条件の成立時を大当り終了直後としたが、スペシャルリーチなどの特定のリーチで外れたときとしてもよいし、チューリップ式の普通電動役物４６が開放中に始動口４２に入球したときとしてもよい。遊技者はこれらのいずれも認識可能であるため、遊技者が知らないうち所定の保留処理条件が成立してしまうおそれが少ない。
【００５５】
また、上述した実施形態では、特別図柄の変動を保留する上限数を４個としたが、上限数を４個未満としてもよいし４個を超える数としてもよい。但し、上限数を設けない場合には、パチンコホールの利益と遊技者の利益との均衡が崩れるおそれがあるので、上限数を設けることが好ましい。
【００５６】
更に、上述した実施形態では、Ｒｃｎの値が大きいほど常に大当り確率の高い大当り判定テーブルが選定されるようにしたが、Ｒｃｎの値が大きいほど常に大当り確率の高い大当り判定テーブルが選定されるのではなく、例えばＲｃｎの値が０〜２のときには図１７（ａ）の大当り判定テーブルが選定され、Ｒｃｎの値が３のときには図１７（ｂ）の大当りテーブルが選定されるというように、Ｒｃｎの値が大きいほど大当り確率の高い大当り判定テーブルが選定されることがあるようにしてもよい。
【００５７】
更にまた、上述した実施形態では、特別処理回数カウンタＵｃｎの値に基づいてリーチ当り判定テーブル群の中から一つのリーチ当り判定テーブルを選定するようにしたが、リーチ当り判定テーブル（例えば図１８（ａ）のリーチ当り確率１／１２のテーブル）を一つだけ用意し、通常時でも保留球特別処理時でも絶えずそのリーチ当り判定テーブルを用いてリーチ当りか否かを判定するようにしてもよい。
【００５８】
そしてまた、上述した実施形態では、保留球特別処理時のリーチ回数カウンタＲｃｎの値に基づいて複数の大当り判定テーブル群の中から一つの大当り判定テーブルを選定するようにしたが、保留球特別処理時の処理回数つまり特別処理回数カウンタＵｃｎの値に基づいて複数の大当り判定テーブル群の中から一つの大当り判定テーブルを選定するようにしてもよい。例えば、図１７の大当り判定テーブル群につき、特別処理回数カウンタＵｃｎの値が１のときには確率１／３１５の大当り判定テーブル（図１７（ａ）参照）を選定し、Ｕｃｎの値が２のときには確率１／９０の大当り判定テーブル（図１７（ｂ）参照）を選定し、Ｕｃｎの値が３のときには確率１／４５の大当り判定テーブル（図１７（ｃ）参照）を選定し、Ｕｃｎの値が４のときには確率１／３０の大当り判定テーブル（図１７（ｄ）参照）を選定するようにしてもよい。つまり、Ｕｃｎの値が大きいほど大当り確率の高い大当り判定テーブルが選定されるようにしてもよい。あるいは、Ｕｃｎの値が１〜３のときには図１７（ａ）の大当り判定テーブルを選定し、Ｕｃｎの値が４のときには図１７（ｂ）の大当りテーブルを選定するというように、Ｕｃｎの値が大きいほど大当り確率の高い大当り判定テーブルが選定されることがあるようにしてもよい。
【００５９】
そして更に、上述した実施形態では、パチンコ機２０を例にとって説明したが、本発明が適用可能な遊技機はパチンコ機に限定されるものではなく、遊技球の入球に伴って当否判定を行う全ての遊技機、例えばパチンコ機とスロットマシンとを融合させた遊技機などにも適用することができるのは勿論である。このパチンコ機とスロットマシンとを融合させた遊技機の基本構成の一例としては、遊技状態に応じてその遊技状態を識別させるための複数の図柄からなる図柄列を変動表示した後に図柄を確定表示する表示手段を備え、始動用操作手投（例えば操作レバー）の操作に起因して図柄の変動が開始され、停止用操作手段（例えばストップボタン）の操作に起因してあるいは所定時間経過することにより図柄の変動が停止され、その停止時の確定図柄が特定図柄であることを必要条件として遊技者に有利な特別遊技状態を発生させる特別遊技状態発生手段とを備え、遊技媒体として遊技球を使用すると共に図柄の変動開始に際しては所定数の遊技球を必要とし、特別遊技状態の発生に際しては多くの遊技球が払い出されるよう構成されてなる遊技機を挙げることができる。こうした遊技機には、少なくとも多数個の遊技球を取得できる遊技者に有利な状態である特別遊技状態（大当り状態）と、遊技球を消費する遊技者に不利な状態である通常遊技状態とが存在するものとすることもできる。
【図面の簡単な説明】
【図１】パチンコ機２０を正面から見た外観図である。
【図２】パチンコ機２０の遊技盤３０の構成の概略を示す構成図である。
【図３】パチンコ機２０の電気的接続を例示するブロック図である。
【図４】特別図柄表示装置４０に表示される表示図の一例を示す説明図である。
【図５】特別図柄表示装置４０に表示される特別遊技動画の一例を示す説明図である。
【図６】特別図柄表示装置４０に表示される特別遊技動画の一例を示す説明図である。
【図７】メインルーチンの一例を示すフローチャートである。
【図８】始動入賞処理ルーチンの一例を示すフローチャートである。
【図９】変動開始処理ルーチンの一例を示すフローチャートである。
【図１０】変動停止処理ルーチンの一例を示すフローチャートである。
【図１１】カウンタ更新処理ルーチンの一例を示すフローチャートである。
【図１２】外れ図柄カウンタ更新処理ルーチンの一例を示すフローチャートである。
【図１３】カウンタ用バッファ及び各種カウンタの説明図である。
【図１４】保留球格納エリアの一例を示す説明図である。
【図１５】表示コマンド決定処理ルーチンの一例を示すフローチャートである。
【図１６】保留球特別処理ルーチンの一例を示すフローチャートである。
【図１７】大当り判定テーブルの説明図である。
【図１８】リーチ当り判定テーブルの説明図である。
【図１９】大当り時変動パターンコマンド決定処理ルーチンの一例を示すフローチャートである。
【図２０】外れリーチ時変動パターンコマンド決定処理の一例を示すフローチャートである。
【符号の説明】
２０  パチンコ機、２２  前面枠、２４  上受け皿、２６  下受け皿、２８  発射ツマミ、３０  遊技盤、３２  普通図柄表示装置、３２ａ，３２ｂ  図柄、３３ａ〜３３ｄ  普通図柄変動保留ランプ、３４ａ，３４ｂ  普通図柄表示装置作動ゲート、３６ａ，３６ｂ  作普通図柄始動口スイッチ、４０  特別図柄表示装置、４１ａ〜４１ｄ  特別図変動保留ランプ、４２  始動口、４４  特別図柄始動口スイッチ、４６  普通電動役物、５０  大入賞口、５２  大入賞口駆動装置、５４  １０カウントスイッチ、５６  Ｖゾーン、５８  Ｖカウントスイッチ、６０ａ〜６０ｄ  普通入賞口、６２  レール、６４ａ，６４ｂ  ランプ風車、６６ａ，６６ｂ  風車、６８ａ〜６８ｈ  インジケータ、６９  アウト口、７０  メイン制御装置、７２  ＣＰＵ、７３  電源回路、７４  ＲＯＭ、７６  ＲＡＭ、７８  クロック回路、８０  入出力処理回路、８２  バス、８４  音声用制御装置、８６  スピーカ、８８  他の入力装置、８９  他の出力装置、９０  表示用制御装置。
【図１】
2005006849.tif 000003
【図２】
2005006849.tif 000004
【図３】
2005006849.tif 000005
【図４】
2005006849.tif 000006
【図５】
2005006849.tif 000007
【図６】
2005006849.tif 000008
【図７】
2005006849.tif 000009
【図８】
2005006849.tif 000010
【図９】
2005006849.tif 000011
【図１０】
2005006849.tif 000012
【図１１】
2005006849.tif 000013
【図１２】
2005006849.tif 000014
【図１３】
2005006849.tif 000015
【図１４】
2005006849.tif 000016
【図１５】
2005006849.tif 000017
【図１６】
2005006849.tif 000018
【図１７】
2005006849.tif 000019
【図１８】
2005006849.tif 000020
【図１９】
2005006849.tif 000021
【図２０】
2005006849.tif 000022